【手続補正書】
【提出日】平成25年2月7日(2013.2.7)
【手続補正１】
【補正対象書類名】特許請求の範囲
【補正対象項目名】全文
【補正方法】変更
【補正の内容】
【特許請求の範囲】
【請求項１】
脈管のアクセスのために構成されるカテーテルデバイスであって、
近位端と遠位端との間に延びる細長い本体であって、該細長い本体は流体を受け入れるように構成される内腔を含む、細長い本体と、
切除エネルギーを提供するように構成される切除電極であって、該切除電極は、該細長い本体に沿って遠位に位置を定められ、該細長い本体の該内腔に流体が流れるように接続される通路を含む、切除電極と、
温度を表す信号を提供するように構成されるセンサと、
絶縁チャンバであって、該切除電極の周りに少なくとも部分的に延び、該切除電極から該センサを少なくとも部分的に絶縁するように構成される、絶縁チャンバと
を備えている、カテーテルデバイス。
【請求項２】
前記絶縁チャンバは、実質的に前記切除電極の外側表面の周りに延びる、請求項１に記載のデバイス。
【請求項３】
前記絶縁チャンバは、流体および固体材料のうちの少なくとも１つを含む、請求項１に記載のデバイス。
【請求項４】
前記流体は、空気、窒素、水、および食塩水のうちの少なくとも１つを含む、請求項３に記載のデバイス。
【請求項５】
前記固体材料は、発泡体、ポリマー、およびセラミック材料のうちの少なくとも１つを含む、請求項３に記載のデバイス。
【請求項６】
前記センサは、前記絶縁チャンバ内に位置を定められる、請求項１に記載のデバイス。
【請求項７】
前記切除電極の遠位端の近位にかつ前記細長い本体に沿って位置を定められる少なくとも１つのリング電極をさらに含む、請求項１に記載のデバイス。
【請求項８】
前記少なくとも１つのリング電極のうちの少なくとも１つの近位に位置を定められる第２の絶縁チャンバをさらに含む、請求項７に記載のデバイス。
【請求項９】
前記絶縁チャンバの周りに少なくとも部分的に位置を定められるリング電極をさらに含む、請求項１に記載のデバイス。
【請求項１０】
前記細長い本体に沿って遠位に位置を定められ、制御機構によって制御される関節接合部をさらに含む、請求項１に記載のデバイス。
【請求項１１】
組織を切除するシステムであって、
該システムは、切除電極を備え、該切除電極は、カテーテルデバイスの細長い本体の内腔に流体が流れるように接続される通路と、該切除電極の周りに少なくとも部分的に延びる絶縁チャンバと、該切除電極から少なくとも部分的に絶縁される温度センサとを含み、
該内腔は、流体を受け入れて該切除電極を冷却するように構成され、
該切除電極は、切除エネルギーを受けるように構成される、システム。
【請求項１２】
前記切除電極の外部の区域の温度を決定するように構成されるセンサをさらに備える、請求項１１に記載のシステム。
【請求項１３】
心臓組織に切除エネルギーを提供するように構成される切除電極デバイスであって、
カテーテルデバイスの細長い本体に取り付けるように構成される近位部と、
該細長い本体の内腔に接続するように構成される通路であって、該通路は流体を受け入れるように構成される、通路と、
該切除電極の外部の区域の温度を表す信号を提供するように構成されるセンサと、
該切除電極の周りに少なくとも部分的に延び、該センサを少なくとも部分的に絶縁するように構成される、絶縁チャンバと
を備えている、切除電極デバイス。
【請求項１４】
前記絶縁チャンバは、実質的に前記切除電極の周りに延びる、請求項１３に記載の電極デバイス。
【請求項１５】
前記絶縁チャンバは、流体および固体材料のうちの少なくとも１つを含み、該流体は、空気、窒素、水、および食塩水のうちの少なくとも１つを含み、該固体材料は、発泡体、ポリマー、およびセラミック材料のうちの少なくとも１つを含む、請求項１３に記載の電極デバイス。
【請求項１６】
前記センサは、前記絶縁チャンバ内に位置を定められる、請求項１３に記載の電極デバイス。
【請求項１７】
前記切除電極は、実質的に直線状であり、概ね円筒形である、請求項１３に記載の電極デバイス。
【請求項１８】
前記切除電極は、剛体である、請求項１３に記載の電極デバイス。
【請求項１９】
前記切除電極の遠位端の近位にかつ該切除電極に沿って位置を定められる少なくとも１つのリング電極をさらに含む、請求項１３に記載の電極デバイス。
【請求項２０】
前記少なくとも１つのリング電極のうちの少なくとも１つに近位に位置を定められる第２の絶縁チャンバをさらに含む、請求項１９に記載の電極デバイス。
【請求項２１】
前記通路に流体が流れるように接続される１つ以上の灌漑アパーチャをさらに含む、請求項１３に記載の電極デバイス。
【請求項２２】
切除電極を製造する方法であって、
カテーテルデバイスの細長い本体の内腔に接続するように構成される通路を提供するステップであって、該通路は流体を受け入れるように構成される、ステップと、
該切除電極の周りに少なくとも部分的に延びる絶縁チャンバを提供するステップと、
該絶縁チャンバにセンサを取り付けるステップであって、該センサは、該切除電極の外部の区域の温度を表す信号を提供するように構成される、ステップと
を包含する、方法。
【請求項２３】
絶縁チャンバを提供することは、前記切除電極を形成する前に該絶縁チャンバを密閉することを含む、請求項２２に記載の方法。
【請求項２４】
前記絶縁チャンバは、流体および固体材料のうちの少なくとも１つで満たされ、該流体は、空気、窒素、水、および食塩水のうちの少なくとも１つを含み、該固体材料は、発泡体、ポリマー、およびセラミック材料のうちの少なくとも１つを含む、請求項２２に記載の方法。
【請求項２５】
前記絶縁チャンバは、合金、ポリマーおよびセラミック材料のうちの少なくとも１つから形成される、請求項２２に記載の方法。
【手続補正２】
【補正対象書類名】明細書
【補正対象項目名】００１３
【補正方法】変更
【補正の内容】
【００１３】
本発明は、例えば、以下の項目も提供する。
（項目１）
脈管のアクセスのために構成されるカテーテルデバイスであって、
近位端と遠位端との間に延びる細長い本体であって、該細長い本体は流体を受け入れるように構成される内腔を含む、細長い本体と、
切除エネルギーを提供するように構成される切除電極であって、該切除電極は、該細長い本体に沿って遠位に位置を定められ、該細長い本体の該内腔に流体が流れるように接続される通路を含む、切除電極と、
温度を表す信号を提供するように構成されるセンサと、
絶縁チャンバであって、該切除電極の周りに少なくとも部分的に延び、該切除電極から該センサを少なくとも部分的に絶縁するように構成される、絶縁チャンバと
を備えている、カテーテルデバイス。
（項目２）
前記絶縁チャンバは、実質的に前記切除電極の外側表面の周りに延びる、項目１に記載のデバイス。
（項目３）
前記絶縁チャンバは、流体および固体材料のうちの少なくとも１つを含む、項目１に記載のデバイス。
（項目４）
前記流体は、空気、窒素、水、および食塩水のうちの少なくとも１つを含む、項目３に記載のデバイス。
（項目５）
前記固体材料は、発泡体、ポリマー、およびセラミック材料のうちの少なくとも１つを含む、項目３に記載のデバイス。
（項目６）
前記センサは、前記絶縁チャンバ内に位置を定められる、項目１に記載のデバイス。
（項目７）
前記切除電極の遠位端の近位にかつ前記細長い本体に沿って位置を定められる少なくとも１つのリング電極をさらに含む、項目１に記載のデバイス。
（項目８）
前記少なくとも１つのリング電極のうちの少なくとも１つの近位に位置を定められる第２の絶縁チャンバをさらに含む、項目７に記載のデバイス。
（項目９）
前記絶縁チャンバの周りに少なくとも部分的に位置を定められるリング電極をさらに含む、項目１に記載のデバイス。
（項目１０）
前記細長い本体に沿って遠位に位置を定められ、制御機構によって制御される関節接合部をさらに含む、項目１に記載のデバイス。
（項目１１）
組織を切除する方法であって、
切除電極を提供するステップであって、該切除電極は、カテーテルデバイスの細長い本体の内腔に流体が流れるように接続される通路と、該切除電極の周りに少なくとも部分的に延びる絶縁チャンバと、該切除電極から少なくとも部分的に絶縁される温度センサとを含む、ステップと、
該内腔に流体を送達して、該切除電極を冷却するステップと、
該切除電極に切除エネルギーを送達するステップと
を包含する、方法。
（項目１２）
前記切除電極の外部の区域の温度を決定することをさらに含む、項目１１に記載の方法。
（項目１３）
心臓組織に切除エネルギーを提供するように構成される切除電極デバイスであって、
カテーテルデバイスの細長い本体に取り付けるように構成される近位部と、
該細長い本体の内腔に接続するように構成される通路であって、該通路は流体を受け入れるように構成される、通路と、
該切除電極の外部の区域の温度を表す信号を提供するように構成されるセンサと、
該切除電極の周りに少なくとも部分的に延び、該センサを少なくとも部分的に絶縁するように構成される、絶縁チャンバと
を備えている、切除電極デバイス。
（項目１４）
前記絶縁チャンバは、実質的に前記切除電極の周りに延びる、項目１３に記載の電極デバイス。
（項目１５）
前記絶縁チャンバは、流体および固体材料のうちの少なくとも１つを含み、該流体は、空気、窒素、水、および食塩水のうちの少なくとも１つを含み、該固体材料は、発泡体、ポリマー、およびセラミック材料のうちの少なくとも１つを含む、項目１３に記載の電極デバイス。
（項目１６）
前記センサは、前記絶縁チャンバ内に位置を定められる、項目１３に記載の電極デバイス。
（項目１７）
前記切除電極は、実質的に直線状であり、概ね円筒形である、項目１３に記載の電極デバイス。
（項目１８）
前記切除電極は、剛体である、項目１３に記載の電極デバイス。
（項目１９）
前記切除電極の遠位端の近位にかつ該切除電極に沿って位置を定められる少なくとも１つのリング電極をさらに含む、項目１３に記載の電極デバイス。
（項目２０）
前記少なくとも１つのリング電極のうちの少なくとも１つに近位に位置を定められる第２の絶縁チャンバをさらに含む、項目１９に記載の電極デバイス。
（項目２１）
前記通路に流体が流れるように接続される１つ以上の灌漑アパーチャをさらに含む、項目１３に記載の電極デバイス。
（項目２２）
切除電極を製造する方法であって、
カテーテルデバイスの細長い本体の内腔に接続するように構成される通路を提供するステップであって、該通路は流体を受け入れるように構成される、ステップと、
該切除電極の周りに少なくとも部分的に延びる絶縁チャンバを提供するステップと、
該絶縁チャンバにセンサを取り付けるステップであって、該センサは、該切除電極の外部の区域の温度を表す信号を提供するように構成される、ステップと
を包含する、方法。
（項目２３）
絶縁チャンバを提供することは、前記切除電極を形成する前に該絶縁チャンバを密閉することを含む、項目２２に記載の方法。
（項目２４）
前記絶縁チャンバは、流体および固体材料のうちの少なくとも１つで満たされ、該流体は、空気、窒素、水、および食塩水のうちの少なくとも１つを含み、該固体材料は、発泡体、ポリマー、およびセラミック材料のうちの少なくとも１つを含む、項目２２に記載の方法。
（項目２５）
前記絶縁チャンバは、合金、ポリマーおよびセラミック材料のうちの少なくとも１つから形成される、項目２２に記載の方法。
本明細書に組み込まれ、本明細書の一部を構成する添付の図面は、本開示の例示的実施形態を提供し、説明と共に開示の原理を説明するのに役立つ。